(57)【特許請求の範囲】
【請求項１】
開閉接点と、ラッチ手段及びレバー状のハンドルを含む前記開閉接点を開閉する開閉機構と、前記ラッチ手段の係合を解消させて前記開閉機構を介して前記開閉接点を開離させるトリップ機構とがケース内に収納され、
前記ハンドルが前記ケースの内側に位置する鍔部と前記ケースに開けられた開口部から突き出るとって部とを含み、
該とって部が、前記開閉接点の開状態では前記開口部の端部である開側端部に位置し、閉状態では前記開側端部の反対側の前記開口部の端部である閉側端部に位置し、トリップ状態においてはその中間に位置するように変位する回路遮断器において、
前記ハンドルのとって部が挿通する孔が開けられたスライド板が、前記ハンドルの鍔部と前記ケースとの間に、前記ハンドルと相対的にスライドするように配置され、
前記とって部が前記開側端部に位置するとき、前記ハンドルの鍔部及び前記スライド板のいずれか一方の前記開口部に面する部分に、開路表示が表示されており、かつ、
前記とって部が前記閉側端部に位置するとき、前記開路表示が設けられていない他方の前記開口部に面する部分に、閉路表示が表示されており、
前記とって部がトリップ位置に位置するとき、前記開路表示および前記閉路表示のいずれも前記ケースまたは前記スライド板によって前記開口部に面することを妨げられていることを特徴とする、回路遮断器。
【請求項２】
前記スライド板を一方向に付勢する付勢部材を有し、前記スライド板は、前記ケースに設けられた固定部材又は前記とって部に接して所定の位置に停止することを特徴とする、請求項１の回路遮断器。
【請求項３】
閉路状態で前記ケースの開口部及び前記スライド板の孔を介して前記ハンドルの鍔部の前記閉路表示が見える位置に該スライド板が留まり、開路状態で前記スライド板の前記開路表示が前記ケースの開口部から見える位置に該スライド板が留まり、トリップ状態で前記スライド板がトリップ動作することによって変位する変位部材と固定部材又は前記ハンドルのとって部とによって拘束されて前記閉路表示が前記スライド板と重なり前記開路表示は前記ケースと重なって両表示が前記開口部から見えない位置に前記スライド板及び前記ハンドルが留まることを特徴とする、請求項１の回路遮断器。
【発明の詳細な説明】
【０００１】
【発明の属する技術分野】
本発明は、開閉機構がケースに収納された回路遮断器の状態表示に関する。
【０００２】
【従来の技術】
図１４に示されている従来の回路遮断器は、開閉接点１００、開閉接点１００を開閉する開閉機構１０１、過電流が流れたとき開閉機構１０１を介して開閉接点を自動的に開離させるトリップ装置１０２とそれらを収納する絶縁物のケース１０３を有している。この回路遮断器の開閉機構１０１は一般にトグルリンク機構を有し、レバー式のハンドル１０４によって操作される。ハンドル１０４は、ケース１０３内に収納される鍔部１０４ａと鍔部１０４ａから立ち上がりケース１０３に形成された開口部１０３ａから突き出たとって部１０４ｂを有している。
【０００３】
図１４はこの回路遮断器の閉路状態を示しており、図１５（ａ）及び図１５（ｂ）はこの回路遮断器のそれぞれ開路状態及びトリップ状態におけるハンドル１０４の位置を示す部分図である。図１４を参照して、ハンドル１０４を時計方向に回転させて開閉接点１００を開離させたとき、とって部１０４ｂはケース１０３の開口部１０３ａの左端部から図１５（ａ）のごとく右端部まで移動する。一方、トリップ装置１０２が動作して開閉機構１０１に含まれているラッチ手段１０５の係合が解消し開閉接点１００が開離したトリップ状態になると、図１５（ｂ）に示されているようにとって部１０４ｂはケース１０３の開口部１０３ａの中間に移動する。
【０００４】
この回路遮断器の開閉状態は、正面からケース１０３の開口部１０３ａから見えるハンドルの鍔部に設けられた開閉表示のラベルによって判別できる。すなわち、図１４の閉路状態において、ケース１０３の開口部１０３ａから見えるとって部１０４ｂから右側の鍔部分１０４ａには閉路を意味する赤色のラベル１０６が貼付されている。また、図１５（ａ）の開路状態に於いて、開口部１０３ａから見えるとって部１０４ｂから左側の鍔部分１０４ａには開路を意味する緑色のラベル１０７が貼付されている。
【０００５】
【発明が解決しようとする課題】
以上のような従来の回路遮断器にあっては、図１５（ｂ）に示されているように、トリップ状態においてとって部１０４ｂが開口部１０３ａの中間に位置し両方のラベル１０６、１０７が見えるため、オペレータがとまどうという問題があった。
【０００６】
したがって、この発明は閉路状態及び開路状態を確実に確認でき、トリップ状態にあるとき閉路及び開路のいずれの表示も見えない表示機能を有する回路遮断器を提供することを目的とする。
【０００７】
【課題を解決するための手段】
上記の問題を解決するために、請求項１の発明は、開閉接点と、ラッチ手段及びレバー状のハンドルを含む開閉接点を開閉する開閉機構と、ラッチ手段の係合を解消させて開閉機構を介して開閉接点を開離させるトリップ機構とがケース内に収納されている。上記ハンドルがケースの内側に位置する鍔部とそのケースに開けられた開口部から突き出るとって部とを含み、該とって部が、開閉接点の開状態では開口部の端部である開側端部に位置し、閉状態では開側端部の反対側の開口部の端部である閉側端部に位置し、またトリップ状態においてはその中間に位置するように変位する。また、ハンドルのとって部が挿通する孔が開けられたスライド板が、ハンドルの鍔部とケースとの間に、ハンドルと相対的にスライドするように配置され、とって部が開側端部に位置するとき、ハンドルの鍔部及びスライド板のいずれか一方の開口部に面する部分に、開路表示が表示されており、かつ、とって部が閉側端部に位置するとき、開路表示が設けられていない他方の開口部に面する部分に、閉路表示が表示されている。そして、とって部がトリップ位置に位置するとき、開路表示および閉路表示のいずれもケースまたはスライド板によって開口部に面することを妨げられていることとする。
【０００８】
ここで、開口部に面するとは、鍔部およびスライド板のいずれか一方と開口部との間に障害物がなく、回路遮断器の外部から開口部を通して見えることをさす。したがって、鍔部が開口部に面するとき、その開口部に面する鍔部は、スライド板にもケースにも妨げられずに外部から開口部を通して見える状態にある。また、開口部に面するスライド板の部分は、ケースに妨げられずに外部から開口部を通して見える状態にある。
【０００９】
このような構成により、所定の条件、すなわちハンドルの鍔部の開路側表面（とって部が開口部の閉側端部に位置するとき、開口部に面する表面）に閉路表示が設けられる。かつ、回路遮断器が閉路状態にあるときは、スライド板の開路表示はケースと重なって正面からは見えないが、鍔部の閉路表示は障害物がないため開口部を通して見ることができる。また、開路状態にあるときは、鍔部の閉路表示はスライド板と重なって見えないが、スライド板の開路表示は障害物がないため開口部を通して見ることができる。さらにトリップの状態では、鍔部の閉路表示はスライド板と重なり、スライド板の開路表示はケースと重なって双方の表示は開口部を通して見えない。
【００１０】
スライド板の開路側表面に閉路表示が設けられているときも同様に、閉路状態にあるときは鍔部の開路表示はスライド板と重なり見えないが、スライド板の閉路表示は障害物がないため開口部を通して見ることができる。また、開路状態にあるときは、スライド板の閉路表示はケースと重なって見えないが鍔部の開路表示は障害物がないため開口部を通して見ることができる。さらにトリップの状態では、鍔部の開路表示はスライド板と重なり、スライド板の閉路表示はケースと重なって双方の表示は開口部を通して見えない。
【００１１】
請求項２の発明は、請求項1の回路遮断器において、スライド板を一方向に付勢する付勢部材を有し、スライド板は、ケースに設けられた固定部材又はとって部によって所定の位置に停止することとしている。このような構成により、鍔部の開路側表面に閉路表示が設けられているときは、スライド板を閉路側に付勢することにより開路状態でスライド板はとって部によってその移動が制限され、スライド板の開路表示がケースの開口部から見える位置に保持され、トリップ状態でスライド板はとって部又は固定部材によってその移動が制限され、鍔部の閉路表示がスライド板と重なりスライド板の開路表示がケースと重なった位置で保持される。また、閉路状態においては、閉路表示とスライド板の孔とが重なる位置でスライド板が固定部材と接してその移動が制限される。一方、スライド板の開路側表面に閉路表示が設けられているときは、スライド板を開路側に付勢することにより閉路状態でスライド板はとって部によってその移動が制限され、スライド板の閉路表示がケースの開口部から見える位置に保持され、トリップ状態でスライド板はとって部又は固定部材によってその移動が制限され、鍔部の開路表示がスライド板と重なりスライド板の閉路表示がケースと重なった位置で保持される。また、開路状態においては、開路表示とスライド板の孔とが重なる位置でスライド板が固定部材と接してその移動が制限される。
【００１２】
請求項３の発明は請求項１の回路遮断器において、閉路状態でケースの開口部及びスライド板の孔を介してハンドルの鍔部の閉路表示が見える位置に該スライド板が留まり、開路状態でスライド板の開路表示がケースの開口部から見える位置に該スライド板が留まり、トリップ状態でスライド板がトリップ動作することによって変位する変位部材と固定部材又はハンドルのとって部とによって拘束されて閉路表示がスライド板と重なり開路表示はケースと重なって両表示が開口部から見えない位置にスライド板及びハンドルが留まることとしている。このような構成により、トリップ状態においてスライド板はトリップしたことにより変位した部材によってその移動が拘束され請求項２の付勢部材を必要としない。
【００１３】
【発明の実施の形態】
本発明の実施の形態を図１ないし図１３で示される実施例によって説明する。図１ないし図１１に示される第１の実施例の回路遮断器は３極型であって、開閉ユニット、トリップユニット及び結合された両ユニットを覆うカバーを有している。
【００１４】
図２、図７および図８を参照して、開閉ユニットは消弧ケース１をベース部材として構成されており、消弧ケースの内部には磁性板２を有する消弧装置３と一端が端子を形成し他端に開閉接点４を有する固定接触子５と他方の開閉接点６を有する可動接触子７が収納され、消弧ケース１の外部には可動接触子７を保持するクロスバー８を操作する開閉機構が装着されている。
【００１５】
各極の可動接触子７は、３極共通の合成樹脂成形絶縁物製クロスバー８上に軸９によって回転自在に保持されるとともにクロスバー８の壁との間に設けられたばね１０によって時計方向に付勢されている。可動接触子７には可撓リード１１が取付けられその端部にはリード端子１２が接続され、各極のリード端子１２は３極共通の合成樹脂成形絶縁物製リード端子ベース１３に収納されている。図７を参照して、クロスバー８は、両端に円柱形状の支持部８ａを有し、支持部８ａが消弧ケース１の両側壁に形成されているＵ字状の溝１ａとリード端子ベース１３に形成された円弧状の凹部１３ａとの間に挟まれることによって回転自在に保持されている。
【００１６】
クロスバー８を回転させる開閉機構は、消弧ケース１の中央極部分の両側壁に沿って設けられた一対のフレーム１４上に構築されている。この開閉機構にはトグルリンク機構が採用されており、軸１５によって互いに回転自在に連結されたそれぞれ一対のリンク１６とリンク１７と、いずれもフレーム１４上に回転自在なるように設けられたハンドルレバー１８、トリップレバー１９、トリップレバー１９の時計方向の回転を阻止するフック２０及びフック２０の反時計方向の回転を阻止するラッチ２１と、軸１５とハンドルレバー１８との間に取り付けられたばね２２と、ハンドルレバー１８の角に差し込まれた合成樹脂成形絶縁物製のハンドル２３とを有している。
【００１７】
ハンドルレバー１８はその両腕がフレーム１４と同じ平面内を移動するようにコ字状に折り曲げられて形成され、その両腕の円弧状端部１８ａがフレーム１４に形成された円弧状凹部１４ａにばね２２の力によって押し付けられている。トリップレバー１９はその両腕がフレーム１４の内側に隣接する面を移動するようにコ字状に折り曲げられて形成され、その両腕の円弧状のカール端部１９ａが一対のフレーム１４の対向面に形成された円柱状の突起１４ｂにはめ込まれている。一対のリンク１６はトリップレバー１９の腕と同じ平面内を移動するように配置されており、その円弧状に形成された円弧状端部１６ａがトリップレバー１９の両腕に形成された円弧状凹部１９ｂにばね２２の力によって押し付けられ、一対のリンク１７は軸２４によって回転自在にクロスバー８と連結されている。
【００１８】
フレーム１４の外面に沿った面から見たこの開閉機構の一部を示している図８を参照して、その両脚２０ａがフレーム１４に形成された三角形の孔１４ｃに配置されているフック２０及びその両脚２１ａがフレーム１４に形成されたV字形の切欠１４ｄに配置されているラッチ２１は、ばね２５の力によってそれぞれ時計方向及び反時計方向に付勢されている。
【００１９】
図２及びトリップ状態を示している図９を参照して、トリップユニットは、合成樹脂成形絶縁物製のトリップユニットケース２６内に構築され、それぞれ各極毎に備えられる一端が開閉ユニットのリード端子１２に接続され他端に端子が形成されているヒーター２７、ヒーター２７の屈曲部に取付けられたバイメタル２８、ヒーター２７を取り巻くように設けられている固定コアー２９及びコ字状の可動コアー３０並びに３極に共通に備えられる回転自在のトリップ軸３１及びラッチ軸３２を有している。トリップ軸３１は図示されていないばねによって時計方向に付勢されており、ラッチ軸３２は図９に示されているばね３３によって反時計方向に付勢されておりラッチ腕３２ａがトリップ軸３１に設けられたラッチ受け３１ａと係合しその回転が阻止される。さらに、トリップユニットケース２６の前面壁２６ａにはリセットレバー３４が軸３５によって回転自在に設けられ、リセットレバー３４の切欠部とラッチ軸に偏心して設けられたピンとが噛み合うように組み合わされているため、リセットレバー３４とラッチ軸３２とは互いに一方が回転したとき他方も回転するようになっている。
【００２０】
開閉ユニットとトリップユニットの結合は、まず、裏面からねじ３６によってリード端子１２とヒーター２７を接続する。次に、結合された両ユニットを覆うようにカバー３７を装着する。このカバー３７と消弧ケース１とトリップユニットケース２６によってこの回路遮断器のケースが構成されている。
【００２１】
ハンドル２３はとって部２３ａと鍔部２３ｂを有し、カバー３７には正面から見たとき長方形であってハンドル２３のとって部２３ａが突き出る開口部３７ａが形成されている。ハンドル２３の鍔部２３ｂの表面及びカバー３７の開口部３７ａの周縁内壁３７ｂはハンドルレバー１８と同心の円弧状であり、双方の隙間には薄い成形絶縁物製スライド板３８が設けられている。スライド板３８にはハンドル２３のとって部２３ａが挿通する孔３８ａが形成されており、ハンドル２３とスライド板３８は相対的にスライド自在である。
【００２２】
ハンドル２３のとって部２３ａが閉路状態において位置する側を閉路側及び開路状態において位置する側を開路側と定義する。したがって、閉路状態で、とって部が開口部の閉側端部に位置するとき、開口部に面する鍔部またはスライドの部分は閉側端部と逆の開側端部にあるため、上記部分を開路側表面、開路側舌部などと記す。また、開路状態で、とって部が開口部の開側端部に位置するとき、開口部に面する鍔部またはスライドの部分は開側端部と逆の閉側端部にあるため、上記部分を閉路側表面、閉路側舌部などと記す。
【００２３】
スライド板３８の閉路側舌部３８ｂにはこの回路遮断器が開路状態にあることを意味する緑色の開路表示ラベル３９が貼付されている。また、ハンドル２３の鍔部２３ｂの開路側表面２３ｃには閉路状態を示す赤色の閉路表示ラベル４０が貼付されている。なお、図において両ラベルは塗りつぶして表示されている。
【００２４】
このような回路遮断器の動作について説明する。図２に示されている閉路状態において、ばね２２の力によりその円弧状端部１８ａを中心として時計方向に付勢されているハンドルレバー１８の回転は、フレーム１４の縁に接して阻止されている。ばね２２の力により軸１５及びリンク１６を介してフレーム１４の突起１４ｂの周りを時計方向に付勢されているトリップレバー１９は、そのラッチ部１９ｃとフック２０のラッチ受部２０ｂとの係合によってばね２５の力に抗してフック２０を反時計方向に付勢している。そして、この付勢によってフック２０のラッチ部２０ｃとラッチ２１のラッチ受部２１ｂを介してばね２５の力に抗してラッチ２１が時計方向に付勢されている。このラッチ２１の回転がフレーム１４の切欠１４ｄのＶ字の辺によって阻止されているため、フック２０及びトリップレバー１９の回転も阻止された状態となっている。一方、ばね２２の力により軸１５は右方向に付勢されているが、リンク１７とリンク１６が略一直線の状態でリンク１６の下端部がトリップレバー１９のカール端部１９ａに押し付けられて停止し、クロスバー８が時計方向に回転した状態で接点４と接点６が接触している。
【００２５】
この閉路状態においてスライド板３８は、その閉路側舌部３８ｂが固定部材である消弧ケース１とハンドル２３のとって部２３ａに挟まれて拘束状態にある。そして、スライド板３８上の開路表示ラベル３９はカバー３７と重なっているため正面から見えない。一方、ハンドル２３上の閉路表示ラベル４０はスライド板３８の孔３８ａ及びカバー３７の開口部３７ａに相当する位置にあるため正面からその全面が見える。
【００２６】
開路操作は閉路状態にある回路遮断器のハンドル２３を反時計方向に回転することによって行われる。この回転によりばね２２の力の作用線がリンク１６の円弧状端部１６ａを右から左へ移動したとき、軸１５が左方向に移動しリンク１７とリンク１６がく字状に折れ曲がる。その結果、クロスバー８が反時計方向に回転して接点を開離させた後消弧ケース１の図示していない部分に接してその回転が停止する。ハンドルレバー１８の回転もその折曲部１８ｂがトリップレバー１９に接して停止し、図４に示されている開路状態となる。
【００２７】
この開路状態において、スライド板３８は、その開路側舌部３８ｃがトリップユニットのリセットレバー３４のリセット縁３４ａとハンドル２３のとって部２３ａに挟まれて拘束状態にある。したがって、スライド板３８上の開路表示ラベル３９はカバー３７の開口部３７ａに相当する位置にあるため正面からその全面が見える。一方、ハンドル２３上の閉路表示ラベル４０は、カバー３７とスライド板３８の開路側舌部３８ｃの少なくともいずれか一方と重なるため見えない。
【００２８】
閉路操作は開路状態にある回路遮断器のハンドル２３を時計方向に回転させることによって行われる。この回転により、ばね２２の作用線がリンク１６の円弧状端部１６ａを左から右へ移動し、リンク１６とリンク１７とを伸直させながら軸１５が右方向へ移動するためクロスバー８が時計方向に回転し図２に示されている閉路状態となる。
【００２９】
図２、図６、図８及び図９を参照して、トリップ動作は以下の過程を経る。閉路状態においてこの回路遮断器に過電流が流れたとき、ヒーター２７の発熱によりバイメタル２８が湾曲してその先端が左方向に移動しピン４１を介して、又は電磁力によりばね４３によって反時計方向に付勢されている可動コアー３０が軸４２を中心として固定コアー２９方向にすなわち時計方向に回転して腕３１ｂを介して、トリップ軸３１を反時計方向に回転させる。トリップ軸３１の回転によってラッチ腕３２ａとラッチ受け３１ａとの係合が解消しラッチ軸３２が反時計方向に回転し、リセットレバー３４が時計方向に回転しその端部のリセット縁３４ａが右方向に移動する。図９において、ラッチ軸３２には開閉機構トリップ腕３２ｂが設けられており、ラッチ軸３２の回転により開閉機構トリップ腕３２ｂが、図８において、開閉機構のトリップ腕２１ｃを押してラッチ２１を反時計方向に回転させる。ラッチ２１の回転によってラッチ２１とフック２０との係合及びフック２０とトリップレバー１９との係合が解消し、トリップレバー１９が図示されていないストッパ部材に接するまでハンドルレバー１８の折曲部１８ｂを押しながら時計方向へ回転する。そして、クロスバー８を反時計方向に回転させながらリンク１６とリンク１７が共に上方へ移動する。そして、接点が開離した後クロスバー８が消弧ケース１に接してその回転が停止して図６に示されているトリップの状態となる。なお、図６はバイメタル２８又は可動コアー３０が復帰した状態を示している。
【００３０】
以上のトリップ動作中、ハンドルレバー１８と共にハンドル２３が反時計方向に回転して図６の位置に停止する。また、スライド板３８はリセットレバー３４のリセット縁３４ａと消弧ケース１とによって拘束される。このトリップ状態において、開路表示ラベル３９はカバー３７と重なり、閉路表示ラベル４０はスライド板３８の開路側舌部３８ｃと重なり、どちらのラベルも正面から見えない。なお、このように両ラベルが見えないようにスライド板３８をリセットレバー３４のリセット縁３４ａとハンドル２３のとって部２３ａとによって拘束されるようにしてもよい。
【００３１】
リセット操作はトリップ状態にある回路遮断器のハンドル２３を反時計方向に回転させることによって行われる。この回転により、ハンドルレバー１８の折曲部１８ｂに押されてトリップレバー１９が反時計方向に回転し、その肩部１９ｄの移動に追随してフック２０が時計方向に回転しラッチ２１も反時計方向に回転して、トリップレバー１９とフック２０及びフック２０とラッチ２１が係合する。係合した状態は図３及び図４に示されている開路状態である。
【００３２】
図１２を参照して、本発明による回路遮断器の第２の実施例について説明する。第２の実施例は第１の実施例と同様なスライド板３８’を開路側から閉路側方向に付勢するばね５０を設け、第１の実施例と同様に、このスライド板３８’の閉路側舌部３８ｂ’に開路表示ラベル３９’を貼付し、ハンドル２３’の鍔部２３ｂ’の開路側表面に閉路表示ラベル４０’を貼付したものである。この第２実施例は、図１２（ａ）に示されている開路状態において、スライド板３８’はその孔３８ａ’の開路側の縁（左縁）がハンドル２３’のとって部２３ａ’と接して停止し、開路表示ラベル３９’はカバー３７’の開口部３７ａ’に相当する位置にあるため正面から見える。一方、閉路表示ラベル４０’はカバー３７’（又はスライド板３８’の開路側舌部３８ｃ’）と重なり見えない。また、図１２（ｂ）に示されているトリップ状態において、スライド板３８’はその右端が固定部材３７ｃ’と接して（又はスライド板３８’の孔３８ａ’の左縁がハンドル２３’のとって部２３ａ’と接して）停止し、閉路表示ラベル４０’は開路側舌部３８ｃ’と重なり、開路表示ラベル３９’はカバー３７’と重なるため両ラベルとも見えない。さらに図１２（ｃ）に示されている閉路状態において、スライド板３８’はその右端が固定部材３７ｃ’と接して停止し、閉路表示ラベル４０’はスライド板３８’の孔３８ａ’に相当する位置にあるため見ることができるが、開路表示ラベル３９’はカバー３７’と重なり見えない。
【００３３】
図１３を参照して、本発明による回路遮断器の第３の実施例について説明する。第３の実施例は、第２実施例とは異なり、スライド板３８”を閉路側から開路側方向に付勢するばね５１を設け、ハンドル２３”の鍔部２３ｂ”の閉路側表面に開路表示ラベル３９”を貼付し、スライド板３８”の開路側舌部３８ｃ”の表面に閉路表示ラベル４０”を貼付したものである。第３実施例は、図１３（ａ）に示されている閉路状態において、スライド板３８”は、その孔３８ａ”の閉路側の縁（右縁）がハンドル２３”のとって部２３ａ”と接して停止し、閉路表示ラベル４０”がカバー３７”の開口部３７ａ”に相当する位置にあるため正面から見える。一方、開路表示ラベル３９”はカバー３７”（又はスライド板３８”の閉路側舌部３８ｂ”）と重なり見えない。また、図１３（ｂ）に示されているトリップ状態において、スライド板３８”は、その左端が固定部材３７ｃ”と接して（又はスライド板３８”の孔３８ａ”の右縁がハンドル２３”のとって部２３ａ”と接して）停止し、開路表示ラベル３９”はスライド板３８”の閉路側舌部３８ｂ”と重なり、閉路表示ラベル４０”がカバー３７”と重なるため両ラベルとも見えない。さらに図１３（ｃ）に示されている開路状態において、スライド板３８”はその左端が固定部材３７ｃ”と接して停止し、開路表示ラベル３９”はカバー３７”の開口部３７ａ”及びスライド板３８”の孔３８ａ”に相当する位置にあるため見ることができるが、閉路表示ラベル４０”はカバー３７”と重なるため見えない。
【００３４】
上記に、本発明の実施の形態について説明を行ったが、上記に開示された本発明の実施の形態は、あくまでも例示であって、本発明の範囲は上記の発明の実施の形態に限定されるものではない。本発明の範囲は、特許請求の範囲の記載によって示され、さらに特許請求の範囲の記載と均等の意味および範囲内でのすべての変更を含むことが意図される。
【００３５】
【発明の効果】
本発明は、以上説明した形態で実施され、ケースとハンドルの鍔部の間にスライド板を設け、トリップ状態において、スライド板に設けられた開路表示又は閉路表示はケースと重なるとともに、ハンドルの鍔部に設けられたそれぞれ閉路表示又は開路表示はスライド板と重なり、両表示が見えない構成となっているため、オペレータが開路状態でもなくまた閉路状態でもない異常な状態（トリップ状態）であると容易に知ることができるという効果を奏する。
【図面の簡単な説明】
【図１】  本発明による回路遮断器の第１の実施例の閉路状態における正面図である。
【図２】  図１のＡ−Ａから見た断面図である。
【図３】  図１の回路遮断器の開路状態における正面図である。
【図４】  図３のＢ−Ｂから見た断面図である。
【図５】  図１の回路遮断器のトリップ状態における正面図である。
【図６】  図５のＣ−Ｃから見た断面図である。
【図７】  図１の回路遮断器の開閉ユニットの分解斜視図である。
【図８】  図２とは異なる面から見た部分断面図である。
【図９】  図１の回路遮断器のトリップユニットの斜視図である。
【図１０】  図１の回路遮断器のスライド板の斜視図である。
【図１１】  図１の回路遮断器のハンドルの斜視図である。
【図１２】  本発明による回路遮断器の第２の実施例を説明する模式図である。
【図１３】  本発明による回路遮断器の第３の実施例を説明する模式図である。
【図１４】  従来の回路遮断器の側面断面図である。
【図１５】  図１４の回路遮断器の動作を説明する部分図である。
【符号の説明】
１  消弧ケース、５  固定接触子、６  開閉接点、７  可動接触子、８  クロスバー、１４  フレーム、１６，１７  リンク、１８  ハンドルレバー、１９  トリップレバー、２０  フック、２１  ラッチ、２２  ばね、２３，２３’，２３”  ハンドル、２３ａ，２３ａ’，２３ａ”  とって部、２３ｂ，２３ｂ’，２３ｂ”  鍔部、２３ｃ  開路側表面、３１  トリップ軸、３２  ラッチ軸、３４  リセットレバー、３４ａ  リセット縁、３７，３７’，３７”  カバー、３７ａ，３７ａ’，３７ａ”  開口部、３７ｂ  周縁内壁、３８，３８’，３８”スライド板、３８ａ，３８ａ’，３８ａ”  孔、３８ｂ，３８ｂ’，３８ｂ”閉路側舌部、３８ｃ，３８ｃ’，３８ｃ”  開路側舌部、３９，３９’，３９”  開路表示ラベル、４０，４０’，４０”  閉路表示ラベル、５０，５１  ばね。
【図１】
0004141667.tif 000002
【図２】
0004141667.tif 000003
【図３】
0004141667.tif 000004
【図４】
0004141667.tif 000005
【図５】
0004141667.tif 000006
【図６】
0004141667.tif 000007
【図７】
0004141667.tif 000008
【図８】
0004141667.tif 000009
【図９】
0004141667.tif 000010
【図１０】
0004141667.tif 000011
【図１１】
0004141667.tif 000012
【図１２】
0004141667.tif 000013
【図１３】
0004141667.tif 000014
【図１４】
0004141667.tif 000015
【図１５】
0004141667.tif 000016